(57)【要約】【課題】光ケーブルの断線や光コネクタの外れが生じたときに、通信光が光ケーブルに出力されてしまい、光ケーブルの覗き込みによる目の損傷被害が生じ得る。【解決手段】本発明は、１又は複数の終端装置と、光通信網の第１光ケーブルと各終端装置に引き込む第２光ケーブルとを接続する接続器とを備える。各終端装置及び又は接続器が、通信光と異なる波長のモニタ光を発光し、通信光とモニタ光とを多重して、第２光ケーブルに出力する。一方、対向する接続器及び又は各終端装置は、第２光ケーブルを介して入力された入力光を波長分離し、モニタ光を受光する。そして、モニタ光の受光状態に応じて、第２ケーブルへの通信光の出力を制御する。【選択図】      図１
2012205275.tif 000002
【特許請求の範囲】
【請求項１】
１又は複数の終端装置と、
光通信網の第１光ケーブルと、上記各終端装置に引き込む第２光ケーブルとを接続する接続器と
を備え、
上記各終端装置及び又は上記接続器が、
通信光と異なる波長のモニタ光を発光するモニタ光発光手段と、
通信光と上記モニタ光とを多重して、上記第２光ケーブルに出力する多重手段と
を有し、
上記接続器及び又は上記各終端装置が、
上記第２光ケーブルを介して入力された入力光を波長分離する分離手段と、
上記分離手段により波長分離された上記モニタ光を受光するモニタ光受光手段と、
上記モニタ光受光手段の上記モニタ光の受光状態に応じて、上記第２ケーブルへの通信光の出力を制御する出力制御手段と
を有する
ことを特徴とする光ケーブル接続システム。
【請求項２】
光通信網の第１光ケーブルと、１又は複数の終端装置に引き込む第２光ケーブルとを接続する接続器において、
上記各終端装置が、通信光と異なる波長のモニタ光を通信光と多重して上記第２光ケーブルに出力するものであり、
上記第２光ケーブルを介して入力された入力光を波長分離する分離手段と、
上記分離手段による波長分離された上記モニタ光を受光するモニタ光受光手段と、
上記第１光ケーブルと接続するものであり、上記モニタ光受光手段の上記モニタ光の受光状態に応じて、上記第２ケーブルへの通信光の出力を制御する出力制御手段と
を備えることを特徴とする接続器。
【請求項３】
上記各終端装置が出力する上記モニタ光とは異なる波長のモニタ光を発光するモニタ光発光手段と、
上記第１光ケーブルからの通信光と、上記モニタ光発光手段が発光した上記モニタ光とを多重して、上記第２光ケーブルに出力する多重手段と
を備えることを特徴とする請求項２に記載の接続器。
【請求項４】
光通信網の第１光ケーブルと接続する接続器と第２光ケーブルを介して接続する終端装置において、
上記接続器が、通信光と異なる波長のモニタ光を通信光と多重して上記第２光ケーブルに出力するものであり、
上記第２光ケーブルを介して入力された入力光を波長分離する分離手段と、
上記分離手段による波長分離された上記モニタ光を受光するモニタ光受光手段と、
上記モニタ光受光手段の上記モニタ光の受光状態に応じて、上記第２ケーブルへの通信光の出力を制御する出力制御手段と
を備えることを特徴とする終端装置。
【請求項５】
上記接続器が出力する上記モニタ光とは異なる波長のモニタ光を発光するモニタ光発光手段と、
上記通信光と、上記モニタ光発光手段が発光した上記モニタ光とを多重して、上記第２光ケーブルに出力する多重手段と
を備えることを特徴とする請求項４に記載の終端装置。
【発明の詳細な説明】
【技術分野】
【０００１】
本発明は、光ケーブル接続システム、接続器及び終端装置に関するものである。本発明は、例えば、ＦＴＴＨ（Fiber  To  The  Home）等の光アクセス網で使用される光ファイバケーブルの接続システム、接続器及び終端装置に適用し得るものである。
【背景技術】
【０００２】
図２は、従来のユーザ宅内におけるＦＴＴＨの光ケーブル配線の構成を示す構成図である。
【０００３】
図２に示すように、ユーザ宅には、通信会社からの光ファイバケーブル（以下、光ケーブルともいう）４と、ユーザ宅内の光加入者線終端装置（ＯＮＵ：Optical  Network  Unit）２０に接続する光ファイバコード（以下、光コードともいう）３とを接続する光ローゼット１０が設けられている。
【０００４】
ＦＴＴＨの光ケーブル配線の構成としては、通信会社からの光ケーブルを直接光加入者線終端装置に引き込む構成もある。
【０００５】
しかし、例えば下記（１）、（２）の様な場合に光ケーブルを直接引き込む構成では、配線の制約があるため不便が生じることがある。
【０００６】
（１）ユーザがＦＴＴＨサービスを行う通信会社を変更する場合に、それまでの光加入者線終端装置を新しい光加入者線終端装置に取り換える場合。
【０００７】
（２）光加入者線終端装置の置き場所を変えるために、ユーザ宅内で光ケーブルを引き伸ばしたりする場合。
【０００８】
上記（１）、（２）の場合でも、図２に示すような光ローゼット１０を設けることで、光ケーブル４から光コード３を容易に取り外すことができるので、上記のような作業を簡単に行うことができ、光ケーブルの配線制約による不便を解消することができる。
【０００９】
従来、光ローゼット１０は、光ケーブル４と光コード３とを単純に光コネクタ１１ａ及び１１ｂで接続させた構成をとっている。また、光加入者線終端装置２０も、光コード３を光コネクタ２１ａ及び２１ｂで接続させた構成をとっている。
【００１０】
また、特許文献１には、光ファイバケーブルを使用して通信を行う電子機器に関する技術が記載されている。特許文献１には、ケーブルが接続されていないことを検出すると、発光素子の発光を停止させる技術について記載されている。
【先行技術文献】
【特許文献】
【００１１】
【特許文献１】特開２０００−３４０３０６号公報
【発明の概要】
【発明が解決しようとする課題】
【００１２】
ところで、光ネットワークでは、通信距離が数ｋｍとなることもあり、光ファイバを伝送する通信光の光強度はかなり大きい。そのため、光ファイバを人が覗き込んでしまい、通信光が人の目に入ってしまうと、目に損傷を与えてしまう危険性がある。
【００１３】
上述したように、従来の光ローゼットは、光ケーブルと光コードとを単純に光コネクタで接続しただけである。従って、何らかの原因により光コネクタが外れてしまい、光ケーブル又は光コードから通信光が漏れてしまうおそれがある。
【００１４】
例えば、光加入者線終端装置を設置する場合、配線作業員が光ファイバを覗き込んでしまうこともあり得る。また、光ファイバが断線したときに、ユーザ等が覗き込んでしまうこともあり得る。さらには、子供が誤って光ファイバを引き抜いてしまい、光コネクタが外れ又は光ファイバが断線し、光ファイバを子供が覗き込むということもあり得る。このような場合には、通信光の強度は大きいものであるから、光ファイバの覗き込みによる被害が生じ得る。
【００１５】
また、光ローゼットは、光ケーブルから伝送されてきた通信光を、光コネクタを介して光コードに伝えるだけの構成であり、発光部を有していない。従って、特許文献１の記載技術のように、光ローゼット側が発光部の発光を停止させることはできない。
【００１６】
さらに、ＦＴＴＨで用いられている光コネクタ（例えばＳＣコネクタ）のレセプタクルにおいては、電気接点を有する規格がなく、レセクタプルに電気接点が必要な特許文献１の記載技術を適用することができない。
【００１７】
そのため、光コネクタの外れや又は光ファイバの断線し、光ファイバの覗き込みによる被害をなくすために、光ファイルを伝送する通信光の出力を停止することができる光ケーブル接続システム、接続器及び終端装置が求められている。
【課題を解決するための手段】
【００１８】
かかる課題を解決するために、第１の本発明の光ケーブル接続システムは、１又は複数の終端装置と、光通信網の第１光ケーブルと、各終端装置に引き込む第２光ケーブルとを接続する接続器とを備え、各終端装置及び又は接続器が、（１）通信光と異なる波長のモニタ光を発光するモニタ光発光手段と、（２）通信光とモニタ光とを多重して、第２光ケーブルに出力する多重手段とを有し、接続器及び又は各終端装置が、（３）第２光ケーブルを介して入力された入力光を波長分離する分離手段と、（４）分離手段により波長分離されたモニタ光を受光するモニタ光受光手段と、（５）モニタ光受光手段のモニタ光の受光状態に応じて、第２ケーブルへの通信光の出力を制御する出力制御手段とを有することを特徴とする。
【００１９】
第２の本発明の接続器は、光通信網の第１光ケーブルと、１又は複数の終端装置に引き込む第２光ケーブルとを接続する接続器において、各終端装置が、通信光と異なる波長のモニタ光を通信光と多重して第２光ケーブルに出力するものであり、（１）第２光ケーブルを介して入力された入力光を波長分離する分離手段と、（２）分離手段による波長分離されたモニタ光を受光するモニタ光受光手段と、（３）第１光ケーブルと接続するものであり、モニタ光受光手段のモニタ光の受光状態に応じて、第２ケーブルへの通信光の出力を制御する出力制御手段とを備えることを特徴とする。
【００２０】
第３の本発明の終端装置は、光通信網の第１光ケーブルと接続する接続器と第２光ケーブルを介して接続する終端装置において、接続器が、通信光と異なる波長のモニタ光を通信光と多重して第２光ケーブルに出力するものであり、（１）第２光ケーブルを介して入力された入力光を波長分離する分離手段と、（２）分離手段による波長分離されたモニタ光を受光するモニタ光受光手段と、（３）モニタ光受光手段のモニタ光の受光状態に応じて、第２ケーブルへの通信光の出力を制御する出力制御手段とを備えることを特徴とする。
【発明の効果】
【００２１】
本発明によれば、対向する接続器又は終端装置からのモニタ光の受光状態に応じて、通信光の出力を停止又は遮断することができるので、光ケーブルの覗き込みによる被害をなくすことができる。
【図面の簡単な説明】
【００２２】
【図１】実施形態のユーザ宅内におけるＦＴＴＨの光ファイバ配線を構成する光ローゼット及び光加入者線終端装置の内部構成を示す構成図である。
【図２】ユーザ宅内におけるＦＴＴＨの光ケーブル配線の構成を示す構成図である。
【図３】実施形態の光ローゼットと光加入者線終端装置との間の光コードを伝送する通信光を停止させる動作を説明する説明図である。
【発明を実施するための形態】
【００２３】
（Ａ）実施形態
以下では、本発明の光ケーブル接続システム、接続器及び終端装置の実施形態を、図面を参照しながら説明する。
【００２４】
この実施形態では、宅内の光ケーブル配線構成で使用される光ローゼット及び光加入者線終端装置に、本発明を適用した場合の実施形態を一例として説明する。
【００２５】
（Ａ−１）実施形態の構成
図１は、実施形態のユーザ宅内におけるＦＴＴＨの光ケーブル配線を構成する光ローゼット及び光加入者線終端装置の内部構成を示す構成図である。なお、ＦＴＴＨによる光ケーブル配線の構成は、図２に例示した従来の構成と同じである。
【００２６】
図１において、この実施形態の光ケーブル配線構成は、光ローゼット１と、光加入者線終端装置２とを少なくとも有して構成される。
【００２７】
光ローゼット１と光加入者線終端装置２とは、光コード３を介して接続している。また、光ローゼット１は、光コネクタ１１ａ及び１１ｂにより光コード３と接続されており、光加入者線終端装置２は、光コネクタ２１ａ及び２１ｂにより光コード３と接続されている。
【００２８】
光ローゼット１は、通信会社からの光ケーブル４とユーザ宅内の光コード３とを接続するものである。光ローゼット１はユーザ宅に設置されるものであり、その設置位置は、特に限定されるものではなく、例えば、壁面に掛けたり、床に置いたりすることができる。
【００２９】
また、光ローゼット１は、図１に示すように、光遮断器１２、第１モニタ光受光器１３、第２モニタ光発光器１４、波長多重／分離器１５を少なくとも有して構成される。
【００３０】
光遮断器１２は、通信会社からの光ケーブル４と接続している。光遮断器１２は、後述する第１モニタ光受光器１３からの第１モニタ光受信表示の通知に基づいて、光ケーブル４から伝送された通信光を導通したり又は遮断したりするものである。
【００３１】
つまり、光遮断器１２は、第１モニタ光受光器１３から第１モニタ光を受光している旨を示す第１モニタ光受信表示を受けると、光ケーブル４からの通信光を波長多重／分離器１５に与えるようにし、第１モニタ光を受光していない旨を示す第１モニタ光受信表示を受けると、光ケーブル４からの通信光を遮断する。
【００３２】
上記のように、光遮断器１２が通信光を遮断することにより、光コード３への通信光の伝送を停止させることできる。その結果、光コネクタの外れや光コード３の断線があっても、光コードの覗き込みによる目の損傷を回避することができる。
【００３３】
ここで、光遮断器１２は、接続している光ケーブル４からの通信光を遮断することができれば、様々な光学装置を用いることができる。例えば、光遮断器１２は、液晶素子の配列を制御することで入力光の導通や遮断を行うことできる光シャッタを適用できる。また例えば、光遮断器１２は、一方の光路が波長多重／分離器１５に接続し、他方の光路が閉じている光スイッチを適用できる。
【００３４】
第１モニタ光受光器１３は、波長多重／分離器１５により波長分離された第１モニタ光を受光すると、その旨を示す第１モニタ光受信表示を光遮断器１２に通知するものである。第１モニタ光受光器１３は、例えば、フォトダイオード等を有するものであり、第１モニタ光を受光している間、受光している旨を示す第１モニタ光受信表示を光遮断器１２に与える。
【００３５】
なお、この実施形態では、第１モニタ光を受光しているときに、第１モニタ光受信表示を光遮断器１２に与える場合を例示するが、逆に、第１モニタ光を受光しなくなったときに、その旨を示す信号を第１モニタ光受光部１３が光遮断器１２に与えるようにしてもよい。
【００３６】
第２モニタ光発光器１４は、所定波長の光を発光するものである。第２モニタ光発光器１４は、発光した第２モニタ光を、波長多重／分離器１５に与える。第２モニタ光発光器１４は、特定波長の光を発光することができれば、広く適用することができ、例えば、ＬＥＤや発光ダイオード等を適用することができる。
【００３７】
ここで、モニタ光とは、光加入者線終端装置２と光ローゼット１との間で伝える通信光に多重させる光である。モニタ光は、光加入者線終端装置２と光ローゼット１との間の光ファイバから通信光の漏れを互いに検出させるためのものである。尚、上記通信光の漏れとは、光コネクタの外れ、又は、光ファイバの断線に起因するものである。
【００３８】
つまり、光加入者線終端装置２及び光ローゼット１が相互にモニタ光を検出することで、光コード３の断線、光コネクタの外れ等を検出することができる。
【００３９】
また、モニタ光の波長は、通信光に用いられる波長と区別することができれば、特に限定されない。
【００４０】
モニタ光の強度は、人に損傷を与えない弱い程度のものである。例えば、モニタ光は、光ローゼット１及び光加入者線終端装置２が互いに検出できればよい。そのため、モニタ光の強度は、光ローゼット１と光加入者線終端装置２との間の距離を伝送することができる程度の強度であればよい。つまり、光ローゼット１と光加入者終端装置２との間の距離に応じて伝送できる程度の弱い強度に設定することができる。また例えば、人体に損傷を与えないレーザ光の安全規格として、「−１４．２ｄＢｍ以下」であることが規定されている。そこで、その安全規格に基づいて、モニタ光の強度を設定するようにしてもよい。
【００４１】
なお、第１モニタ光は、光加入者線終端装置２側が通信光に多重する光である。第２モニタ光は、光ローゼット１側が通信光に多重する光である。第１モニタ光と第２モニタ光とは互いに波長が異なるものである。
【００４２】
波長多重／分離器１５は、光遮断器１２からの通信光と、第２モニタ光発光器１４からの第２モニタ光とを波長多重して送出するものである。また、波長多重／分離器１５は、光コード３を介して受け取った光を波長分離して、光遮断器１２に通信光を与え、第１モニタ光受光器１３に第１モニタ光を与えるものである。
【００４３】
光加入者線終端装置２は、図１に示すように、装置回路本体２２、第１モニタ光発光器２３、第２モニタ光受光器２４、波長多重／分離器２５を少なくとも有して構成される。
【００４４】
装置回路本体２２は、既存の光加入者線終端装置が有する構成部である。図１では、装置回路本体２２の内部構成を図示しないが、一般的に、光通信インタフェース機能、光−電気変換機能、端末側の通信インタフェース機能等を有する。
【００４５】
また、装置回路本体２２は、図示しない端末側からの受信信号を伝送する通信光を発光する発光素子２２１も有する。装置回路本体２２は、後述する第２モニタ受光器２４からの通知に基づいて、発光素子２２１の発光を停止する機能を有する。
【００４６】
つまり、装置回路本体２２は、第２モニタ光受光器２４から第２モニタ光を受光している旨を示す第２モニタ光受信表示の通知を受けると、発光素子２２１を発光させて通信光を波長多重／分離器２５に与えるようにし、受光していない旨の通知を受けると、発光素子２２１の発光を停止させ、通信光の送出を停止させる。
【００４７】
第１モニタ光発光器２３は、第１モニタ光を発光して、波長多重／分離器２５に与えるものである。第１モニタ光発光器２３は、例えば、ＬＥＤや発光ダイオード等を適用することができる。
【００４８】
第２モニタ光受光器２４は、波長多重／分離器２５により波長分離された第２モニタ光を受光すると、その旨を装置回路本体２２に通知するものである。第２モニタ光受光器２４は、例えば、フォトダイオード等を有するものであり、第２モニタ光を受光している間、装置回路本体２２に第２モニタ光受信表示を与える。なお、逆に、第２モニタ光を受光しなくなったときに、第２モニタ光受光部２４が装置回路本体２２に信号を与えるようにしてもよい。
【００４９】
波長多重／分離器２５は、装置回路本体２２からの通信光と、第１モニタ光発光器２３からの第１モニタ光とを波長多重して送出するものである。また、波長多重／分離器２５は、光コード３を介して受け取った光を波長分離して、装置回路本体２２に通信光を与え、第２モニタ光受光器２４に第２モニタ光を与えるものである。
【００５０】
（Ａ−２）実施形態の動作
次に、実施形態の宅内の光ファイバ配線の構成における通信光を停止させる方法の動作を、図面を参照しながら説明する。
【００５１】
図３は、光ローゼット１と光加入者線終端装置２との間の光コード３を伝送する通信光を停止させる動作を説明する説明図である。
【００５２】
ここで、光ローゼット１から光ケーブル４への上り通信光の波長を「λ１」、光ケーブル４から光ローゼット１に与えられる下り通信光の波長を「λ２」とする。また、第１モニタ光の波長を「λ３」とし、第２モニタ光の波長を「λ４」とする。
【００５３】
まず、上り通信光の出力を停止する動作を説明する。光ローゼット１において、第２モニタ発光器１４は、波長λ４の第２モニタ光を発光する。第２モニタ発光器１４は、無変調連続波（ＣＷ：Continuous  Wave）の光を発光するものとする。これにより、変調回路が要らないので、簡単な安価な回路で実現できる。
【００５４】
第２モニタ光は、波長多重／分離器１５に与えられる。波長多重／分離器１５には、光遮断器１２を介して導通された下り通信光が与えられる。波長多重／分離器１５は、通信光と第２モニタ光とを波長多重され、光コード３に出力される。なお、下り通信光が伝送されていなくても、第２モニタ光は出力される。
【００５５】
光コード３からの光は、光加入者線終端装置２の波長多重／分離器２５に与えられる。波長多重／分離器２５において、入力光は波長分離され、第２モニタ光が第２モニタ光受光器２４に与えられる。
【００５６】
第２モニタ光受光器２４は、第２モニタ光の入力状態に対応して、「受信」と「未受信」の２状態のいずれを示す「第２モニタ光受信表示」を装置回路本体２２に出力する。
【００５７】
例えば、第２モニタ光受光器２４は、フォトダイオードを有しており、受光した第２モニタ光を電気信号に変換する。そして、第２モニタ光が受光されているときに、第２モニタ光受光器２４は「第２モニタ光受信表示」として「Ｈ」を出力し、そうでないとき、第２モニタ光受光器２４は「第２モニタ光受信表示」として「Ｌ」を出力する。
【００５８】
「第２モニタ光受信表示＝Ｈ」が装置回路本体２２に与えられると、装置回路本体２２は、発光素子２２１の発光を許容する。そして、図示しない端末側から通信信号を受けると、当該通信信号に基づく通信光が、光コード３を介して光ローゼット１に与えられ、光ケーブル４に送出される。
【００５９】
一方、「第２モニタ光受信表示＝Ｌ」が、装置回路本体２２に与えられると、装置回路本体２２は、発光素子２２１の発光を停止させる。これにより、図示しない端末側から通信信号を受けても、通信光の出力が強制停止される。
【００６０】
次に、下り通信光を遮断する動作を説明する。光加入者線終端装置２において、第１モニタ光発光器２３は、波長λ３の第１モニタ光を発光する。なお、第１モニタ光発光器２３も、第２モニタ光発光器１４と同様に、ＣＷの光を発光するものとする。
【００６１】
第１モニタ光は、波長多重／分離器２５に与えられる。波長多重／分離器２５には、装置回路本体２２からの上り通信光が与えられる。波長多重／分離器２５は、上り通信光と第１モニタ光とを波長多重され、光コード３に出力される。なお、上り通信光の導通がなくても、第１モニタ光は出力される。
【００６２】
光コード３からの光は、光ローゼット１の波長多重／分離器１５に与えられる。波長多重／分離器１５において、入力光は波長分離され、第１モニタ光が第１モニタ光受光器１３に与えられる。
【００６３】
第１モニタ光受光器１３は、第１モニタ光の入力状態に対応して、「受信」と「未受信」の２状態のいずれを示す「第１モニタ光受信表示」を光遮断器１２に出力する。
【００６４】
例えば、第１モニタ光受光器１３は、フォトダイオードを有しており、受光した第１モニタ光を電気信号に変換する。そして、第１モニタ光が受光されているときに、第１モニタ光受光器１３は「第１モニタ光受信表示」として「Ｈ」を出力し、そうでないとき、第１モニタ光受光器１３は「第１モニタ光受信表示」として「Ｌ」を出力する。
【００６５】
「第１モニタ光受信表示＝Ｈ」が光遮断器１２に与えられると、光遮断器１２は、下り通信光の導通を許容する。
【００６６】
例えば、光遮断器１２として液晶素子を用いた光シャッタを適用するとき、通信光を導通できるように液晶素子の配列を制御する。また、光遮断器１２として光スイッチを適用するとき、通信光を波長多重／分離器１５に導通させる光路に切り替えるようにする。
【００６７】
このようにして、下り通信光は、波長多重／分離器１５に与えられ、光コード３を介して光加入者線終端装置２に出力される。
【００６８】
一方、「第１モニタ光受信表示＝Ｌ」が、光遮断器１２に与えられると、光遮断器１２は、上り通信光を遮断するようにする。
【００６９】
例えば、光遮断器１２として液晶素子を用いた光シャッタを適用するとき、光遮断器１２は、通信光の出力を遮断するように液晶素子の配列を制御する。また、光遮断器１２として光スイッチを適用するとき、光遮断器１２は通信光を閉じた光路に切り替えるようにする。このようにすることで、下り通信光の導通を遮断することができる。
【００７０】
（Ａ−３）実施形態の効果
以上のように、この実施形態によれば、光加入者線終端装置が、光ローゼットからのモニタ光を受光していないときに、上り通信光を強制停止する仕組みを備え、また、光ローゼットが、光加入者線終端装置からのモニタ光を受光していないときに、下り通信光の導通を遮断する仕組みを備えることで、通信光が光コードから漏れたときに、通信光の導通を停止させることができる。
【００７１】
その結果、光コネクタが抜けていた場合は、通信光が光コードへ伝わることがなく、光コードの端面を覗き込んだ人が、光加入者線終端装置の出力通信光、または、通信会社から光ケーブルを通して伝送されてきた通信光により、目に損傷を受ける可能性がなくなる、という効果が得られる。
【００７２】
（Ｂ）他の実施形態
（Ｂ−１）上述した実施形態では、光加入者線終端装置での上り通信光の出力停止は、装置回路本体が、発光素子の発光を停止する場合を例示した。
【００７３】
しかし、この方法に限定されるものではない。例えば、光加入者線終端装置も、光ローゼットのように、光遮断器を備えるようにしてもよい。その場合、例えば、図１において、装置回路本体２２と波長多重／分離器２５との間に、光遮断器を備え、第２モニタ光受光器２４からの「第２モニタ光受信表示」が上記光遮断器に出力される構成とすることができる。
【００７４】
（Ｂ−２）上述した実施形態では、モニタ光として、２種類のモニタ光を用いる場合を例示した。しかし、１個のモニタ光としてもよい。すなわち、実施形態では、第１モニタ光発光器２３及び第１モニタ光受光器１３のユニットと、第２モニタ光受光器１４及び第２モニタ光受光器２４のユニットを備える場合を例示したが、いずれか１ユニットとしてもよい。その場合には、上り通信光又は下り通信光のいずれの出力停止を行うことができる。
【００７５】
（Ｂ−３）上述した実施形態では、光ローゼットと接続する光加入者線終端装置が、１台の場合を例示した。しかし、複数台の光加入者線終端装置と接続する場合も、同様の効果を奏する。
【００７６】
この場合、光加入者線終端装置の数だけ、波長の異なるモニタ光が必要となる。光ローゼットは、各波長のモニタ光受光器を備え、いずれかのモニタ光受光器がモニタ光を受光しないときに、下り通信光を遮断する。
【００７７】
なお、光コードは、単芯光ファイバコードと多芯光ファイバコードとがある。複数の光加入者線終端装置と接続するとき、単芯光ファイバコード、多芯光ファイバコードのいずれも適用することができる。
【００７８】
（Ｂ−４）上述した実施形態では、接続器の一例として光ローゼットを適用する場合を例示した。しかし、光ファイバケーブルを接続する接続器であれば、光ローゼットに限定されず広く適用することができる。例えば、ＦＴＴＨの宅内の光ファイバケーブルの接続だけでなく、光ファイバケーブル同士を接続する光ファイバコネクタにも適用することができる。
【００７９】
（Ｂ−５）上述した実施形態では、終端装置の一例として光加入者線終端装置を適用する場合を想定して説明したが、終端装置は、局側の光回線終端装置（ＯＬＴ：Optical  Line  Terminal）を適用するようにしてもよい。
【符号の説明】
【００８０】
１…光ローゼット、１１ａ及び１１ｂ…光コネクタ、１２…光遮断器、
１３…第１モニタ光受光器、１４…第２モニタ光発光器、
１５…波長多重／分離器、
２…光加入者線終端装置、２１ａ及び２１ｂ…光コネクタ、
２２…装置回路本体、２２１…発光素子、２３…第１モニタ光発光器、
２４…第２モニタ光受光器、２５…波長多重／分離器、
３…光コード、４…光ケーブル。
【図１】
2012205275.tif 000003
【図２】
2012205275.tif 000004
【図３】
2012205275.tif 000005